(57)【要約】  本体（６）と、回転し、１つまたはいくつかのシャフト（５）によって本体に取付けられた粉砕／切断ジョー（１）と、前記ジョーを互いに移動させる第１の動力ユニット（３）とを含む粉砕または切断装置であって、ジョー（１）の少なくとも１つのシャフト（５）には、本体（６）とジョー（１）の両方に関して回転するベアリングが装着され、前記ベアリングは、ベアリング間で偏心し、少なくとも１つの前記シャフト（５）を回転させるために、前記装置が、第２の動力ユニット（４）を有する。  シャフト（５）が最大で１８０°回転される状況で、且つ第１の動力ユニット（３）が油圧でロックされているとき、またはジョーを互いに押圧する位置にあるとき、偏心距離（ｅ）のベアリング間の第２の動力ユニット（４）の原動力を、シャフトに連結された、前記偏心距離（ｅ）より長いトーションアームによって、増加させるに当たり、第２の動力ユニット（４）が、ジョー（１）を互いに押圧するようになっている。【選択図】図１
2008517755.tif 000002
【特許請求の範囲】
【請求項１】
本体（６）と、回転し、１つまたはいくつかのシャフト（５）によって本体に取付けられた粉砕／切断ジョー（１）と、前記ジョーを互いに移動させる第１の動力ユニット（３）とを含む粉砕または切断装置であって、
ジョー（１）の少なくとも１つのシャフト（５）には、本体（６）とジョー（１）の両方に関して回転する、ベアリングが装着され、前記ベアリングは、ベアリング間で偏心し、少なくとも１つの前記シャフト（５）を回転させるために、前記装置が、第２の動力ユニット（４）を有している、前記粉砕または切断装置において、
シャフト（５）が最大で１８０°回転される状況で、且つ第１の動力ユニット（３）が油圧でロックされているとき、またはジョーを互いに押圧する位置にあるとき、偏心距離（ｅ）のベアリング間の第２の動力ユニット（４）の原動力を、シャフトに連結された、前記偏心距離（ｅ）より長いトーションアームによって、増加させるに当たり、第２の動力ユニット（４）が、ジョー（１）を互いに押圧するようになっている、ことを特徴とする装置。
【請求項２】
シャフト（５）の回転は、シャフト（５）の偏心（ｅ）によって、ジョー（１）を押圧方向からそれる方向に移動させるようになっている、ことを特徴とする請求項１に記載の装置。
【請求項３】
各ジョー（１）毎に１つのシャフト（５）があり、第２の動力ユニット（４）は、両シャフト（５）を異なる回転方向に移動させるようになっている、ことを特徴とする請求項１に記載の装置。
【請求項４】
第２の動力ユニット（４）は、両シャフト（５）を同一回転方向に移動させるようになっている、ことを特徴とする請求項１に記載の装置。
【請求項５】
第２の動力ユニット（４）は、シャフト（５）を前後に回転させるようになっている、ことを特徴とする請求項１に記載の装置。
【請求項６】
第２の動力ユニット（４）は、油圧シリンダーであり、該油圧シリンダーからシャフト（５）に至るレバー長は、偏心距離（ｅ）の少なくとも５倍である、ことを特徴とする請求項１に記載の装置。
【請求項７】
レバー長は、偏心距離（ｅ）の１０倍である、ことを特徴とする請求項１に記載の装置。
【請求項８】
第２の動力ユニット（４）は、２つのシャフト（５）を回転させるようになっており、動力ユニット（４）は、シャフト（５）に連結されたレバーの頭部間に自在に取付けられている、ことを特徴とする請求項１に記載の装置。
【発明の詳細な説明】
【技術分野】
【０００１】
本発明は、本体と、回転し、１つまたはいくつかのシャフトによって本体に取付けられた粉砕／切断ジョーと、前記ジョーを互いに移動させる第１の動力ユニットと、を有する、粉砕または切断装置であって、少なくとも１つのジョーシャフトには、本体およびジョーの両方に関して回転する、ベアリングが装着され、シャフトの前記ベアリングは、ベアリング間で偏心し、装置は、少なくとも１つの前記シャフトを回転させるために第２の動力ユニットを有する、粉砕または切断装置に関する。
【背景技術】
【０００２】
既知の粉砕装置では、ジョーを、ジョー間でピースを粉砕しようと、大きな力で互いに押圧する。もし粉砕が起こらないならば、ジョーによる新たな把持を他の箇所から行わなければならない。粉砕されるべき構築物は、通常、コンクリート構築物として、耐圧潰性であるが、脆性である。それら構築物は、ジョーの押圧に耐え、かくして、粉砕を悪化させる可能性がある。
【０００３】
更に、粉砕ジョーが、回転シャフトによって装置本体に取付けられた粉砕装置が、特開平４−３００６５４号公報から以前に知られている。シャフトは、本体およびジョーに、ベアリング間に偏心のベアリング面を有する。シャフトは、適切な周波数によって、ジョーの作業振動を達成することができるように、油圧モーターによって回転される。振動機能によって、粉砕されるべきまたは粉砕される物体が、より小さく砕かれる。振動機能によって、ジョーの粉砕力を増大させることにはならない。ジョーの粉砕力は、振動によって小さくなり、または小さくなっていく可能性さえある。
【発明の開示】
【課題を解決するための手段】
【０００４】
押圧および粉砕または切断によって起こる、押圧および粉砕または切断による押圧および粉砕または切断を強めるためには、今提案された発明として、もしジョーの力がピースを粉砕するのに十分でないならば、必要なときに、粉砕および切断を、相当に強化することができる、粉砕装置に連結可能な新たな付加機能が提案される。本発明による粉砕および切断装置は、シャフトが最大で１８０°回転される状況で、且つ第１の動力ユニットが油圧でロックされているとき、またはジョーを互いに押圧する位置にあるとき、偏心距離ｅのベアリング間の第２の動力ユニットの原動力を、シャフトに連結された、前記偏心距離ｅより長いトーションアームによって、増加させるに当たり、１つの動力ユニットが、ジョーを互いに押圧するようになっている、ことを特徴とする。
【０００５】
本発明の考慮すべき利点は、ジョーの直線状の押圧に加えて、ジョーが、ピースを押圧し、それと同時に擦る、付加的な運動を利用でき、この運動が、殆どの場合、ピースを破砕するのに十分であることである。固有の押圧シリンダーが、該押圧シリンダーに通じる油圧経路をロックすることによって、不動にロックされるとき、偏心シャフトの回転によって、１００〜２００％の付加押圧ですら達成される。第２の動力ユニットによって、ジョーが対象物に侵入するようにされるときに、固有の押圧シリンダーをまた、最大圧力で加圧状態に保つことができるので、直ちにその運動を続けることができる。更に、押圧ジョーの偏心シャフトは、押圧方向からそれる方向に運動を生じさせる。
【０００６】
本発明のその他の実施形態は、従属項に示すことを特徴とする。
【発明を実施するための最良の形態】
【０００７】
以下で、本発明を、添付の図面を参照して、開示する。
【０００８】
図１は、本体６と、回転シャフト５によって本体に取付けられたジョー１と、粉砕動力ユニットとしての油圧シリンダー３と、を有する、ジョークラッシャを示す。シャフト５には、ジョー１および本体６のための別々のベアリング部分がある。別々のベアリング部分の中心は、また、中心間に配置される偏心ｅと同量、互いにずれている。図１では、偏心距離ｅは、上向きである方向ｅ’に、図中に印を付けた中心間である。距離ｅは、非常に小さいので、図中に印を付けていない。シャフト５は、シャフトに取付けられ、シリンダー４によって発生する力が、レバー頭部に作用するレバーによって、回転される。レバー長は、偏心距離ｅと比べて倍化される。図１の位置では、偏心ｅは、その方向に関して、ジョー１が互いに関してそれらの最も遠い位置にある種類のものである。隣接した拡大図は、丁度粉砕されるべきピース２の表面上のジョー１を示す。シリンダー４もまた、その最も短い位置にある。
【０００９】
図２では、第２のシリンダー４は、レバーによってシャフト５を少し回転させたが、偏心ｅは、大きな押圧を、言及する価値に匹敵するほど、押圧が増加するようには、ジョー１にまだ作用していないし、またジョーを横方向に移動させない。
【００１０】
図３では、第２のシリンダー４は、シャフト５を明らかに回転させ、レバーの方向は、水平方向に回転している。偏心距離ｅの方向もまた、垂直線から著しくずれている。ジョー１は、ピース２を堅く把持し、元の線から右に横向きに移動している。
【００１１】
図４は、線Ｌ、距離ｅの方向およびジョーの移動に起こった運動を、更に大きく、更に良く示す。もしピース２がジョーに反力を引き起こしたならば、ジョー１もまた、より押圧が大きくなる。
【００１２】
図５は、最終的な状態を示し、シリンダー４の余地は終わり、レバーの方向Ｌは、有利な方向からそれる。方向ｅ’もまた既に水平であり、シャフト５の追加的な回転が、第２のシリンダー４によって達成することができるジョーの追加的な押圧を減少し始める。
【００１３】
図６は、交差するレバーによる、第２の動力ユニット４とシャフト５との連結を示す。このようにして、シャフト５を回転させて起こる、動力ユニット４によって押圧を加えながら、下ジョー１が左側に向かって徐々に移動し始め、これに対して、上ジョー１が、両ジョー１を、図１〜５の場合に移動させたように、右側に向って移動するような、ジョー１の運動の変化が、達成される。
【００１４】
シリンダー４を２つのレバーに取付けることによって、シリンダー４の運動は、「遊動」となる。換言すると、レバーは、必ずしも同じ速度で回転しない。殆どの場合、これは利点であり、粉砕特性を向上させる。というのは、互いの間でのジョー１のばらばらな運動により、粉砕されるべきピースにいくつかの異なる張力を生じさせるからである。かくして、より小さい力でもピースが粉砕される方向を容易に見出すことができる。
【００１５】
動力ユニット４はシャフト５を回転させている間、圧力ラインを、適切な粉砕力を形成する本来のシリンダー３に開放し続けることができ、次いで、これは、圧力に相当する粉砕力によって、ジョー１を緊張させる。次に、第２の動力ユニット４が、ジョー１の横向きの移動のみを生じさせる。もし第１の動力ユニット３が、最大の作動圧力によって、最大の粉砕力をジョー１に伝達し、次いで、動力ユニット３に延びる油圧経路を閉じることによって、ロックされるならば、動力ユニット３は、過負荷の場合、バックアップシステムがシリンダーから作動液を出す前に、なお一層大きな負荷を取ることができる。従って、動力ユニット４によって、また、偏心シャフトおよび、偏心シャフトに取付けられた、偏心移動ｅよりも長いレバーにより、動力ユニット３が可能であるよりも、更に大きな押圧をジョーに引き起こさせることができる。粉砕力の追加は、１００〜２００％にもなることがある。動力ユニット４によって引き起こされた粉砕力に、ジョーの横向きの運動が、更に加えられるとき、本発明のために、粉砕力は著しく向上する。シリンダー頭部の中心から、シャフト５の中心まで計測されるレバー長は、最も適当には、固定ベアリングの中心間の距離である、偏心移動ｅの５倍より大きい。しかしながら、最も適当には、レバー長は、偏心移動ｅの１０倍よりも大きい。
【図面の簡単な説明】
【００１６】
【図１】押圧始めでの、一対のジョーおよび動力ユニットを示す。
【図２】偏心動力ユニットによる押圧を開始したときの、一対のジョーを示す。
【図３】偏心動力ユニットによる押圧が進んだときの、一対のジョーを示す。
【図４】偏心動力ユニットによる押圧が進んだときの、一対のジョーを示す。
【図５】偏心動力ユニットによる押圧行程が終了したときの、一対のジョーを示す。
【図６】押圧が開始したときの、一対のジョーおよび動力ユニットを示す。
【図７】偏心動力ユニットによる押圧が開始したときの、一対のジョーを示す。
【図８】偏心動力ユニットによる押圧が進んだときの、一対のジョーを示す。
【図９】偏心動力ユニットによる押圧が進んだときの、一対のジョーを示す。
【図１０】偏心動力ユニットによる押圧行程が終了したときの、一対のジョーを示す。
【図１】
2008517755.tif 000003
【図２】
2008517755.tif 000004
【図３】
2008517755.tif 000005
【図４】
2008517755.tif 000006
【図５】
2008517755.tif 000007
【図６】
2008517755.tif 000008
【図７】
2008517755.tif 000009
【図８】
2008517755.tif 000010
【図９】
2008517755.tif 000011
【図１０】
2008517755.tif 000012
【国際調査報告】
2008517755.tif 000013
2008517755.tif 000014
2008517755.tif 000015